(57)【要約】      （修正有）【課題】互いに隣接する情報コンセントとの妨害が発生することを防止するために、左右両側のストッパ構造が互いに組み立てられるように設けられた情報コンセントを提供する。【解決手段】情報コンセント２は、第一ストッパ構造２０ａ及び第一平面部を有する第一側２ａと、第二ストッパ構造２０ｂ及び第二平面部を有し、第一側と反対側にある第二側２ｂと、を含み、第一ストッパ構造は、第二平面部と反対側にあり、第二ストッパ構造は、第一平面部と反対側にある。【選択図】図２ｅ
0003195842.tif 000002
【実用新案登録請求の範囲】
【請求項１】
第一ストッパ構造及び第一平面部を有する第一側と、
第二ストッパ構造及び第二平面部を有し、前記第一側と反対側にある第二側と、を含み、
前記第一ストッパ構造は、前記第二平面部と反対側にあり、前記第二ストッパ構造は、前記第一平面部と反対側にあることを特徴とする情報コンセント。
【請求項２】
前記情報コンセントは、複数の前記第一ストッパ構造、複数の前記第二ストッパ構造、複数の前記第一平面部及び複数の前記第二平面部を更に含み、
前記第一ストッパ構造及び前記第一平面部の一方は、前記第一ストッパ構造及び前記第一平面部の他方の隣に配置され、前記第二ストッパ構造及び前記第二平面部の一方は、前記第二ストッパ構造及び前記第二平面部の他方の隣に配置される、ことを特徴とする請求項１に記載の情報コンセント。
【請求項３】
第一ストッパ構造を有する第一側と、
第二ストッパ構造を有し、前記第一側と反対側にある第二側と、を含み、
前記第一ストッパ構造が前記第二側に投影する位置は、前記第二ストッパ構造がある位置から離して位置することを特徴とする情報コンセント。
【請求項４】
前記第一側は、複数の前記第一ストッパ構造を更に含んでいると、前記複数の第一ストッパ構造は等間隔に配置され、
前記第二側は、複数の前記第二ストッパ構造を更に含んでいると、前記複数の第二ストッパ構造は等間隔に配置される、ことを特徴とする請求項３に記載の情報コンセント。
【考案の詳細な説明】
【技術分野】
【０００１】
（関連出願の相互参照）
本出願は、２０１３年１１月２６日に出願された第１０２２２２１３３号の台湾出願に基づく利益を主張し、その内容は参考として本明細書に取り入れるものとする。
【０００２】
本考案は、情報コンセントに関し、特に、情報コンセントパネルに差し込む情報コンセントに関する。
【従来の技術】
【０００３】
図１ａ〜１ｅは、従来の情報コンセントを各視点から示す模式図である。図１ａは、従来の情報コンセント１を示す模式的な斜視図である。図１ｂは、従来の情報コンセント１を他の視点から示す模式的な斜視図である。情報コンセント１は、第一端部１１と第二端部１２を有している。第一端部１１は、情報プラグ（図示せず）を受けるためのコンセント前端部である。第二端部１２は、情報ケーブル（図示せず）を固定する後端部である。情報コンセント１が情報コンセントパネル３（図１ｆと１ｇ参照）に配置される時、情報コンセントパネル３に当接して、適当な位置に固定するために、情報コンセント１の両側には、一つ以上のストッパ縁部１０が設けられる。通常、ストッパ縁部１０が設けられる両側は、互いに反対側にある。情報コンセント１は、上側に第一インサートブロック１３が設けられ、下側に第二インサートブロック１４が設けられる（図１ｆ参照）。情報コンセント１を情報コンセントパネル３に固定することを容易にするために、第一インサートブロック１３は、弾性シート１３’を介して情報コンセント１に接続される。
【０００４】
図１ｃは、従来の情報コンセント１を示す上面図であり、図１ｄは、従来の情報コンセント１を示す下面図であり、図１ｅは、従来の情報コンセント１を示す正面図である。図１ｅに示すように、情報コンセント１の両側にストッパ縁部１０がある。図１ｅに示す情報コンセント１の第一端部１１は正面にあれば、ストッパ縁部１０は左右両側にあり、第二端部１２は背面にある。図１ｃ、１ｄと１ｅから見れば、ストッパ縁部１０は、特定の厚さを有し、左右対称な配置となり、情報コンセント１の側面から突出している。
【０００５】
図１ｆは、従来の情報コンセント１が情報コンセントパネル３に設けられた状態を示す模式的な側面図である。情報コンセントパネル３は、第一面３１と第二面３２を有している。第一インサートブロック１３と第二インサートブロック１４は、第一面３１に組み立てられる。ストッパ縁部１０は、第二面３２に組み立てられる。これにより、ストッパ縁部１０は情報コンセント１が図１ｆの左方向に移動することを防止し、第一インサートブロック１３と第二インサートブロック１４は、情報コンセント１が図１ｆの右方向に移動することを防止するため、情報コンセント１は情報コンセントパネル３に固定されている。
【０００６】
図１ｇは、従来の情報コンセント１が情報コンセントパネル３に複数設けられる時の妨害状態を示す模式的な斜視図であり、図１ｈは、従来の情報コンセントが情報コンセントパネル３に複数設けられる時の妨害状態を示す模式的な断面図である。情報コンセントパネル３には、複数の收容部３０’を有し、收容部３０’は、情報コンセント１の第一端部１１を收容するためのものである。收容部３０’のそれぞれは、隔壁３０で分けられる。第一端部１１を收容部３０’に差し込む時、ストッパ縁部１０が隔壁３０に当接する。最近、情報コンセントパネル３のサイズはますます小さくなるため、隔壁３０の厚さも小さくなる。隔壁３０の厚さは、ストッパ縁部１０の厚さの二倍よりも小さい時、構造間の妨害が発生する。図１ｈにおいて、收容部３０’は、收容部軸３０’ＣＡを有する。二つの隣接する收容部軸３０’ＣＡとの距離は、收容部距離Ｄ３０’である。二つの隣接する情報コンセント１は、それぞれ第一軸１１ＣＡを有する。二つの隣接する第一軸１１ＣＡとの距離は、第一軸距離Ｄ１１である。構造間の妨害は、隔壁３０の厚さは、ストッパ縁部１０の厚さの二倍よりも小さくなると、第一軸距離Ｄ１１は收容部距離Ｄ３０’よりも大きいことに起因する。即ち、ストッパ縁部１０の厚さが大きすぎるから、先に一つの情報コンセント１を收容部３０’に差し込んだ後、もう一つの隣接する情報コンセント１は、隣接する收容部３０’に差し込むことができない。
【０００７】
即ち、従来の課題は、情報コンセントが小型化した情報コンセントパネルに差し込まれにくいことである。従って、本考案はこのような従来の課題を解決するため、実験と研究を重ねた結果、見出されたものである。
【考案の開示】
【考案が解決しようとする課題】
【０００８】
本考案は、このような従来の課題を解決するために、新型の情報コンセントパネルに適用できる情報コンセントを提案する。本考案の情報コンセントは、隔壁の厚さが小さいパネルに適用できる。本考案の情報コンセントは、互いに隣接する情報コンセントとの妨害が発生することを防止するために、左右両側のストッパ構造が互いに組み立てられるように設けられる。即ち、左右両側に設けられたストッパ構造は、配置位置が異なるため、隣接する情報コンセントのストッパ構造をブロックすることができなく、構造間の妨害が発生しない。例えば、左側面のストッパ構造は凸−凹−凸構造であれば、右側面のストッパ構造は凹−凸−凹構造である。これにより、ストッパ構造が互いに組み立てられ、構造間の妨害が発生しない。
【課題を解決するための手段】
【０００９】
従来技術に鑑み、本考案は、情報コンセントを提案する。前記情報コンセントは、情報プラグを受けるための第一端部と、情報ケーブルを固定する第二端部と、前記第一端部と前記第二端部との間に形成され、情報コンセントパネルに接触する固定領域と、を含み、前記固定領域は、一側にストッパブロックが設けられる。
【００１０】
上述の目的を達成するために、本考案は、情報コンセントアレイを提案する。前記情報コンセントアレイは、第一ストッパ構造を有する第一側と、第二ストッパ構造を有する第二側と、を含み、前記第一ストッパ構造は、前記第一側の上縁に近く、前記第二ストッパ構造は、前記第二側の下縁に近い。
【００１１】
上述の目的を達成するために、本考案は、情報コンセントアレイを提案する。前記情報コンセントアレイは、コンセントパネルと、前記コンセントパネルに設けられる複数の情報コンセントと、を含み、前記情報コンセントのそれぞれは、前記コンセントパネルに当接するようにストッパ構造を有し、二つの隣接する情報コンセントは、ストッパ構造が互いに組み立てられる。
【００１２】
上述の目的を達成するために、本考案は、情報コンセントを提案する。前記情報コンセントは、情報コンセントパネルに当接する凸部を有する第一側と、前記凸部に対応する平面部を有する第二側と、を含む。
【００１３】
上述の目的を達成するために、本考案は、情報コンセントを提案する。前記情報コンセントは、第一ストッパ構造を有する第一側面と、第二ストッパ構造を有し、前記第一側面と反対側にある第二側面と、を含み、前記第一ストッパ構造が前記第二側面に投影する位置は、前記第二ストッパ構造がある位置から離して位置する。
【考案の効果】
【００１４】
本考案の情報コンセントは、互いに隣接する情報コンセントとの妨害が発生することを防止するために、左右両側のストッパ構造が互いに組み立てられるように設けられる。
【図面の簡単な説明】
【００１５】
【図１ａ】従来の情報コンセントを示す模式的な斜視図である。
【図１ｂ】従来の情報コンセントを他の視点から示す模式的な斜視図である。
【図１ｃ】従来の情報コンセントを示す上面図である。
【図１ｄ】従来の情報コンセントを示す下面図である。
【図１ｅ】従来の情報コンセントを示す正面図である。
【図１ｆ】従来の情報コンセントがパネルに設けられた状態を示す模式的な側面図である。
【図１ｇ】従来の情報コンセントがパネルに複数設けられる時の妨害状態を示す模式的な斜視図である。
【図１ｈ】従来の情報コンセントがパネルに複数設けられる時の妨害状態を示す模式的な断面図である。
【図２ａ】本考案の好ましい実施形態に係る情報コンセントを示す模式的な斜視図である。
【図２ｂ】本考案の好ましい実施形態に係る情報コンセントを他の視点から示す模式的な斜視図である。
【図２ｃ】本考案の好ましい実施形態に係る情報コンセントを示す上面図である。
【図２ｄ】本考案の好ましい実施形態に係る情報コンセントを示す下面図である。
【図２ｅ】本考案の好ましい実施形態に係る情報コンセントを示す正面図である。
【図２ｆ】本考案の好ましい実施形態に係る情報コンセントの第一側を示す側面図である。
【図２ｇ】本考案の好ましい実施形態に係る情報コンセントの第二側を示す側面図である。
【図２ｈ】本考案の好ましい実施形態に係る情報コンセントがパネルに設けられた状態を示す模式図である。
【図２ｉ】図２ｈの一部を示す模式図である。
【図３】本考案のもう一つの好ましい実施形態に係る情報コンセントを示す模式図である。
【図４】本考案のもう一つ別の好ましい実施形態に係る情報コンセントを示す模式図である。
【図５】本考案のもう一つまた別の好ましい実施形態に係る情報コンセントを示す模式図である。
【図６】図４の実施形態をより詳しく示す模式図である。
【考案を実施するための形態】
【００１６】
以下のように、本考案を実施例に基づいて詳述するが、あくまでも例示であって、本考案の範囲はこれらの実施形態に限定されない。本考案の範囲は、実用新案登録請求の範囲に記載されており、さらに実用新案登録請求の範囲の記載と均等な意味及び範囲内での全ての変更を含んでいる。
【００１７】
図２ａは、本考案の好ましい実施形態に係る情報コンセント２を示す模式的な斜視図である。図２ａにおいて、情報コンセント２は、第一端部２１、第一側２ａ及び第二端部２２を含む。第一側２ａは、二つの第一ストッパ構造２０ａ及び二つの第一平面部２０’ａを有する。
【００１８】
図２ｂは、本考案の好ましい実施形態に係る情報コンセント２を他の視点から示す模式的な斜視図である。図２ｂにおいて、情報コンセント２は、第一端部２１、第二側２ｂ及び第二端部２２を含む。第二側２ｂは、二つの第二ストッパ構造２０ｂ及び二つの第二平面部２０’ｂを有する。
【００１９】
第一側２ａにおいて、二つの第一ストッパ構造２０ａは、一つが情報コンセント２の上面に最も近い箇所に配置され、もう一つが二つの第一平面部２０’ａとの間に配置される。第二側２ｂにおいて、二つの第二ストッパ構造２０ｂは、一つが情報コンセント２の下面に最も近い箇所に配置され、もう一つが二つの第二平面部２０’ｂとの間に配置される。二つの隣接する情報コンセント２はパネル（図示せず）に差し込んで並列すると、一つの情報コンセントのストッパ構造は、他の情報コンセントのストッパ構造を組み立てる。これにより、二つの隣接する情報コンセントとの距離は短縮し、複数の情報コンセントが並列する時の全長も短縮する。又、情報コンセント２をパネルに固定することを容易にするために、第一インサートブロック１３は、弾性シート１３’を介して情報コンセント２に接続される。
【００２０】
図２ｃは、本考案の好ましい実施形態に係る情報コンセント２を示す上面図であり、図２ｄは、本考案の好ましい実施形態に係る情報コンセント２を示す下面図であり、図２ｅは、本考案の好ましい実施形態に係る情報コンセント２を示す正面図である。図２ｃに示すように、第一端部２１は図面左側にあり、第二端部２２は図面右側にある。第一側２ａは、第一ストッパ構造２０ａを有し、第二側２ｂは、第二ストッパ構造２０ｂを有する。第一インサートブロック１３は、弾性シート１３’を介して情報コンセント２の上に設けられ、第一側２ａ及び第二側２ｂに隣接する。図２ｄに示すように、第一端部２１は図面左側にあり、第二端部２２は図面右側にある。第一側２ａは、第一ストッパ構造２０ａを有し、第二側２ｂは、第二ストッパ構造２０ｂを有する。第二インサートブロック１４は、情報コンセント２の下に設けられ、第一側２ａ及び第二側２ｂに隣接する。図２ｅに示すように、情報コンセント２の上には第一インサートブロック１３が設けられ、情報コンセント２の下には、第二インサートブロック１４が設けられる。第一側２ａは、二つの第一ストッパ構造２０ａを有し、第二側２ｂは、二つの第二ストッパ構造２０ｂを有する。
【００２１】
図２ｅにおいて、第一ストッパ構造２０ａと第二ストッパ構造２０ｂは、縦方向の位置が異なる。即ち、第一ストッパ構造２０ａは、第二ストッパ構造２０ｂよりも高いところに位置している。従って、二つの隣接する情報コンセント２は、パネル（図示せず）に差し込んで並列する時、一つの情報コンセント２のストッパ構造２０ａは、他の情報コンセント２のストッパ構造２０ｂを組み立てる。
【００２２】
図２ｆは、本考案の好ましい実施形態に係る情報コンセント２の第一側を示す側面図である。第一インサートブロック１３及び第二インサートブロック１４は、情報コンセントパネル３の第一面３１に配置される。ストッパ構造２０ａは、情報コンセントパネル３の第二面３２に配置される。ストッパ構造２０ａは情報コンセント２が図２ｆの右方向に移動することを防止し、第一インサートブロック１３及び第二インサートブロック１４は、情報コンセント２が図２ｆの左方向に移動することを防止するため、情報コンセント２は情報コンセントパネル３に固定されている。なお、第一ストッパ構造２０ａの隣には、非凸状部である第一平面部２０’ａが形成される。
【００２３】
図２ｇは、本考案の好ましい実施形態に係る情報コンセント２の第二側を示す側面図である。第一インサートブロック１３及び第二インサートブロック１４は、情報コンセントパネル３の第一面３１に配置される。ストッパ構造２０ｂは、情報コンセントパネル３の第二面３２に配置される。ストッパ構造２０ｂは、情報コンセント２が図２ｇの左方向に移動することを防止し、第一インサートブロック１３及び第二インサートブロック１４は、情報コンセント２が図２ｇの右方向に移動することを防止するため、情報コンセント２は情報コンセントパネル３に固定されている。なお、第二ストッパ構造２０ｂの隣には、非凸状部である第二平面部２０’ｂが形成される。
【００２４】
図２ｆと２ｇから見れば、第一ストッパ構造２０ａが第二側２ｂに投影する位置は、第二平面部２０’ｂの位置である。第二ストッパ構造２０ｂが第一側２ａに投影する位置は、第一平面部２０’ａの位置である。第一ストッパ構造２０ａが第二側２ｂに投影する位置は、第二ストッパブロック２０ｂがある位置から離して位置する。情報コンセントパネル３が情報コンセント２に囲まれる領域は、情報コンセント２の固定領域と言う。前記固定領域は、第一端部２１と第二端部２２との間にある。更に、図２ｆと２ｇから見れば、情報コンセントパネル３は、第一インサートブロック１３、第二インサートブロック１４、第一ストッパ構造２０ａ及び第二ストッパ構造２０ｂと密接に接触していないが、本考案を理解しやすいために図示するので、実際は密接に接触している。
【００２５】
図２ｈは、本考案の好ましい実施形態に係る情報コンセント２が情報コンセントパネル３に設けられた状態を示す模式図である。情報コンセントパネル３は、従来の情報コンセントパネルと同じ、高密度パネルである。本考案の情報コンセント２は、左右両側のストッパ構造２０ａ、２０ｂが、互いに組み立てられるように設けられ、縦方向の位置が異なるため、互いに隣接する情報コンセントとの妨害が発生しない。従って、情報コンセント２は情報コンセントパネル３に密集して差し込むことができる。図２ｈから見れば、第一ストッパ構造２０ａは第二面３２に当接する。
【００２６】
図２ｉは、図２ｈの一部を示す模式図である。図２ｉは、第二端部２２の正面から見る図であり、、隣接する情報コンセントとの間の配置を明らかにする。図２ｉにおいて、中央情報コンセント２Ｍは、中央に配置され、左側情報コンセント２Ｌは、左側に配置され、右側情報コンセント２Ｒは、右側に配置される。上述したように、第一ストッパ構造２０ａと第二ストッパ構造２０ｂは、縦方向の位置が互にずらされている。従って、左側情報コンセント２Ｌの第一ストッパ構造２０ａは、中央情報コンセント２Ｍの第二ストッパ構造２０ｂと縦方向にずらされている。同様に、中央情報コンセント２Ｍの第一ストッパ構造２０ａと右側情報コンセント２Ｒの第二ストッパ構造２０ｂは、縦方向にずらされている。
【００２７】
よって、左側情報コンセント２Ｌの第一ストッパ構造２０ａは、中央情報コンセント２Ｍの第二平面部２０’ｂに対向する。同様に、右側情報コンセント２Ｒの第二ストッパ構造２０ｂは、中央情報コンセント２Ｍの第一平面部２０’ａに対向する。
【００２８】
図３は、本考案のもう一つの好ましい実施形態に係る情報コンセント２を示す模式図である。図３は、情報コンセントパネル３の第二面３２（情報コンセント２の第二端部２２）から見る図である。図３において、四つの情報コンセント２は、情報コンセントアレイを構成し、情報コンセントパネル３に並べて隣接する。情報コンセント２の数は変更してもよい。情報コンセントパネル３の第二面３２には、各情報コンセント２を分けるための複数の隔壁３０が設けられる。隔壁３０は、情報コンセントパネル３の構造強度を保持し、ストッパ構造が当接するものとして機能している。図３に示すように、第二側２ｂには、第二ストッパ構造２０ｂだけが設けられ、第一ストッパブロック２０ａがない。二つの情報コンセント２は隣接する時、一つの情報コンセント２の第二ストッパ構造２０ｂは、他の情報コンセント２の第一側２ａの平面部に対向する。即ち、第一側２ａの全ては、平面部に形成されているため、互いに隣接する情報コンセント２との妨害が発生しない。
【００２９】
図４は、本考案のもう一つ別の好ましい実施形態に係る情報コンセント２を示す模式図である。 図４は、情報コンセントパネル３の第二面３２（情報コンセント２Ｌ、２Ｍ、２Ｒの第二端部２２）から見る図である。図４において、情報コンセント２は、両側にストッパ構造２０ａ、２０ｂを有し、ストッパ構造２０ａ、２０ｂは、隔壁３０に当接している。情報コンセント２は、第一側２ａに第一ストッパ構造２０ａを有し、第二側２ｂに第二ストッパ構造２０ｂを有し、第一ストッパ構造２０ａは、第一側２ａの上縁に近く、第二ストッパ構造２０ｂは、第二側２ｂの下縁に近い。第一側２ａには、第一ストッパ構造２０ａだけが設けられ、第二ストッパブロック２０ｂがない。第二側２ｂには、第二ストッパ構造２０ｂだけが設けられ、第一ストッパ構造２０ａがない。ストッパ構造がない領域は、平面部である。即ち、情報コンセント２Ｌの第一側２ａにある第一ストッパ構造２０ａは、情報コンセント２Ｍの第二側２ｂにある平面部に対向し、情報コンセント２Ｒの第二側２ｂにある第二ストッパ構造２０ｂは、情報コンセント２Ｍの第一側２ａにある平面部に対向する。二つの情報コンセント２は隣接する時、情報コンセント２の両側にある平面部とストッパ構造とは、縦方向の対応位置が異なるため、互いに隣接する情報コンセントとの妨害が発生しない。
【００３０】
図５は、本考案のもう一つまた別の好ましい実施形態に係る情報コンセント２を示す模式図である。図５は、情報コンセントパネル３の第二面３２（情報コンセント２Ｌ、２Ｍ、２Ｒの第二端部２２）から見る図である。図５において、情報コンセント２Ｌ、２Ｍ、２Ｒの両側には、異なる数のストッパ構造が設けられる。情報コンセント２Ｌ、２Ｍ、２Ｒのそれぞれは、第一側２ａに一つの第一ストッパ構造２０ａを有し、第二側２ｂに二つの第二ストッパ構造２０ｂを有する。第一ストッパ構造２０ａの上下両側には、二つの第一平面部２０’ａが形成される。二つの第二ストッパ構造２０ｂとの間には、第二平面部２０’ｂが形成される。情報コンセント２Ｌの第一側２ａにある第一ストッパ構造２０ａは、情報コンセント２Ｍの第二側２ｂにある第二平面部２０’ｂに対向し、情報コンセント２Ｒの第二側２ｂにある第二ストッパ構造２０ｂは、情報コンセント２Ｍの第一側２ａにある第一平面部２０’ａに対向する。二つの情報コンセント２は隣接する時、情報コンセント２の両側にある平面部とストッパ構造とは、縦方向の対応位置が異なるため、互いに隣接する情報コンセントとの妨害が発生しない。
【００３１】
図６は、図４の実施形態をより詳しく示す模式図である。図６において、第一投影軸２０ａＰＡは、第一ストッパ構造２０ａを通じ、第一側２ａから第二側２ｂまでに延在する。第二側２ｂにある第一投影面２０ａＰＰは、第一ストッパ構造２０ａの長さに対応して形成する。第一投影面２０ａＰＰには、ストッパ構造が形成されていない。即ち、第一ストッパ構造２０ａが第二側２ｂに投影する位置は、第二ストッパ構造２０ｂがある位置から離して位置する。従って、二つの情報コンセント２は隣接する時、情報コンセント２の両側にある平面部とストッパ構造とは、投影方向の対応位置が異なるため、互いに隣接する情報コンセントとの妨害が発生しない。
【００３２】
以上により、本考案の情報コンセントは、隔壁の厚さが小さいパネルに適用することを説明した。本考案の情報コンセントは、互いに隣接する情報コンセントとの妨害が発生することを防止するために、左右両側のストッパ構造が互いに組み立てられるように設けられる。即ち、左右両側に設けられたストッパ構造は、縦方向の配置位置が異なるため、隣接する情報コンセントのストッパ構造をブロックすることができなく、構造間の妨害が発生しない。従って、本考案の情報コンセントはパネルに密集して差し込むことができる。
【００３３】
以上の説明によると、当業者であれば本考案の技術思想を逸脱しない範囲で、多様な変更及び修正が可能であることが分かる。従って、本考案の技術的な範囲は、明細書の詳細な説明に記載された内容に限らず、実用新案登録請求の範囲によって定めなければならない。
【００３４】
実施例
１、情報コンセントは、第一ストッパ構造及び第一平面部を有する第一側と、第二ストッパ構造及び第二平面部を有し、前記第一側と反対側にある第二側と、を含み、前記第一ストッパ構造は、前記第二平面部と反対側にあり、前記第二ストッパ構造は、前記第一平面部と反対側にある。
【００３５】
２、実施例１に記載の情報コンセントは、複数の前記第一ストッパ構造、複数の前記第二ストッパ構造、複数の前記第一平面部及び複数の前記第二平面部を更に含み、前記第一ストッパ構造及び前記第一平面部の一方は、前記第一ストッパ構造及び前記第一平面部の他方の隣に配置され、前記第二ストッパ構造及び前記第二平面部の一方は、前記第二ストッパ構造及び前記第二平面部の他方の隣に配置される。
【００３６】
３、情報コンセントは、第一ストッパ構造を有する第一側と、第二ストッパ構造を有し、前記第一側と反対側にある第二側と、を含み、前記第一ストッパ構造が前記第二側に投影する位置は、前記第二ストッパ構造がある位置から離して位置する。
【００３７】
４、実施例３に記載の情報コンセントは、前記第一側は、複数の前記第一ストッパ構造を更に含んでいると、前記複数の第一ストッパ構造は等間隔に配置され、前記第二側は、複数の前記第二ストッパ構造を更に含んでいると、前記複数の第二ストッパ構造は等間隔に配置される。
【産業上の利用可能性】
【００３８】
本考案は、情報コンセント、特に、隔壁の厚さが小さいパネルに差し込む情報コンセントに利用される。
【符号の説明】
【００３９】
１、２  情報コンセント
２Ｌ  左側情報コンセント
２Ｍ  中央情報コンセント
２Ｒ  右側情報コンセント
２ａ  第一側
２ｂ  第二側
３  情報コンセントパネル
１０  ストッパ縁部
１１、２１  第一端部
１１ＣＡ  第一軸
１２、２２  第二端部
１３  第一インサートブロック
１３’   弾性シート
１４  第二インサートブロック
２０ａ  第一ストッパ構造
２０ｂ  第二ストッパ構造
２０ａＰＡ  第一投影軸
２０ａＰＰ  第一投影面
２０’ａ  第一平面部
２０’ｂ  第二平面部
３０  隔壁
３０’   收容部
３０’ＣＡ  收容部軸
３１  第一面
３２  第二面
Ｄ１１  第一軸距離
Ｄ３０’   收容部距離
【図１ａ】
0003195842.tif 000003
【図１ｂ】
0003195842.tif 000004
【図１ｃ】
0003195842.tif 000005
【図１ｄ】
0003195842.tif 000006
【図１ｅ】
0003195842.tif 000007
【図１ｆ】
0003195842.tif 000008
【図１ｇ】
0003195842.tif 000009
【図１ｈ】
0003195842.tif 000010
【図２ａ】
0003195842.tif 000011
【図２ｂ】
0003195842.tif 000012
【図２ｃ】
0003195842.tif 000013
【図２ｄ】
0003195842.tif 000014
【図２ｅ】
0003195842.tif 000015
【図２ｆ】
0003195842.tif 000016
【図２ｇ】
0003195842.tif 000017
【図２ｈ】
0003195842.tif 000018
【図２ｉ】
0003195842.tif 000019
【図３】
0003195842.tif 000020
【図４】
0003195842.tif 000021
【図５】
0003195842.tif 000022
【図６】
0003195842.tif 000023